【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】    尿中成分を定量測定する尿中成分測定器と、該尿中成分測定器により測定された測定結果を蓄積する記録手段と、前記尿中成分測定器の使用者のカロリー計算をガイドする生活ガイド手段と、を有し、前記記録手段に記録された尿中成分の履歴と、カロリー計算の結果を同時参照可能としたことを特徴とする生活管理装置。
【請求項２】    請求項１記載の生活管理装置において、前記記録手段に記録された尿中成分値から生活変更の要否を判断する判断手段を有し、該判断手段の判断に基づき前記生活ガイド手段の参照を可能としたことを特徴とする生活管理装置。
【請求項３】    定量測定された尿中成分を暦に対応させて記録する工程と、食事内容を記録することで日々の取得カロリーを計算する工程と、活動内容を記録することで日々の消費カロリーを計算する工程と、前記取得カロリーと消費カロリーとを比較して日々の残存カロリーを計算する工程と、前記記録された尿中成分の時間的な変化と残存カロリー計算結果とを対比した結果に基き、日々の生活についてのガイドを行う工程とを備えることを特徴とする生活習慣ガイド方法。
【請求項４】    生体情報測定装置、および、生体情報測定値の変動状況確認手段と、生体情報測定値の変動状況判断手段と、生体情報測定値の判読手段と、生体情報測定値を維持・改善させるために必要な生活習慣改善手段と、生体情報測定値の改善を計った使用者の体験事例提供手段のいずれか１つ以上を備えたことを特徴とする健康管理システム。
【請求項５】    生体情報測定値の変動状況確認手段は、紙面、もしくは電気的手段によって表示される媒体によって使用者に開示されることを特徴とする請求項４に記載の健康管理システム。
【請求項６】    生体情報測定値の変動判断手段は、紙面、もしくは電気的手段によって表示される媒体によって自動、あるいは手動操作によって変動状況を判断しやすいグラフおよび／又は数式によるごとき形態に加工でき、使用者に開示されることを特徴とする請求項４に記載の健康管理システム。
【請求項７】    生体情報測定値の判読手段は、医学的指標値であると共に、紙面、もしくは電気的手段によって表示される媒体によって使用者に開示されることを特徴とする請求項４に記載の健康管理システム。
【請求項８】    生体情報測定値の改善を計った使用者の体験事例提供手段は、紙面、もしくは電気的手段によって表示される媒体表示媒体によって使用者に開示されることを特徴とする請求項４に記載の健康管理システム。
【請求項９】    コンピュータシステムによって各手段による情報は使用者に対して開示されると共に、通信回線を含む電子媒体によって情報が変更可能であることを特徴とする請求項４から８のいずれかに記載の健康管理システム。
【請求項１０】    複数の人員が所属する施設内に設置した生体情報測定装置を利用して各所属員の生体情報の測定を日常的に行う健康管理システムであって、当該健康管理システムは、前記生体情報測定装置の導入費用・メンテナンスについての管理負担を担う管理人に対して、前記生体情報測定装置の活用方法を所属員に教育する教育ツール、前記生体情報測定装置を用いた所属員からの健康管理に関する質問に対する回答を行う回答ツール、前記管理人が、前記生体情報測定装置の導入効果を確認するための効果確認用ツール、前記生体情報測定装置を用いた健康管理に対する所属員の興味を持続させるための定期的若しくは不定期に発信される情報発信ツール、等の生体情報測定装置の使用促進ツールを、前記生体情報測定装置の販売者が提供することを特徴とする健康管理システム。
【請求項１１】    前記生体情報測定装置は、尿糖値、血糖値、体重、体脂肪率、血圧のいずれか１つ以上を測定することを特徴とする請求項１０に記載の健康管理システム。
【請求項１２】    所属員の質問に対する回答ツールは、生体情報測定装置の販売者が所属員に対して回答すると共に、管理人に対して回答内容を開示されることを特徴とする請求項１０に記載の健康管理システム。
【請求項１３】    前記生体情報測定装置の使用促進ツールは、紙面、もしくは電子媒体で発信されることを特徴とする請求項１０から１２のいずれかに記載の健康管理システム。
【手続補正２】
【補正対象書類名】明細書
【補正対象項目名】０００７
【補正方法】変更
【補正の内容】
【０００７】
【課題を解決するための手段および作用、効果】
上記目的を達成するために、請求項１は、尿中成分を定量測定する尿中成分測定器と、該尿中成分測定器により測定された測定結果を蓄積する記録手段と、前記尿中成分測定器の使用者のカロリー計算をガイドする生活ガイド手段と、を有し、前記記録手段に記録された尿中成分の履歴と、カロリー計算の結果を同時参照可能とする生活管理装置としたので、尿中成分測定器の使用者が自ら尿糖等の尿中成分の測定および記録と日々のカロリー計算とを行うので、個人で健康面に気をつけた生活管理を行うことができるうえ、尿中成分の変化履歴とカロリー消化履歴とを同時表示した比較作業が行いやすい。
この尿中成分測定器は、後述する実施の形態のように、トイレに据え置かれる形式の生体情報測定装置のほか、携帯型の尿糖計測器のような形式であってもよい。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２では、請求項１記載の生活管理装置において、前記記録手段に記録された尿中成分値から生活変更の要否を判断する判断手段を有し、該判断手段の判断に基づき前記生活ガイド手段の参照を可能としたことを特徴とする。
【手続補正６】
【補正対象書類名】明細書
【補正対象項目名】００１１
【補正方法】変更
【補正の内容】
【００１１】
上記目的を達成するために、請求項３では、定量測定された尿中成分を暦に対応させて記録する工程と、食事内容を記録することで日々の取得カロリーを計算する工程と、活動内容を記録することで日々の消費カロリーを計算する工程と、前記取得カロリーと消費カロリーとを比較して日々の残存カロリーを計算する工程と、前記記録された尿中成分の時間的な変化と残存カロリー計算結果とを対比した結果に基き、日々の生活についてのガイドを行う工程とを備える生活習慣ガイド方法を提示する。
【手続補正７】
【補正対象書類名】明細書
【補正対象項目名】００１２
【補正方法】変更
【補正の内容】
【００１２】
上記目的を達成するために請求項４は、生体情報測定装置、および、生体情報測定値の変動状況確認手段と、生体情報測定値の変動状況判断手段と、生体情報測定値の判読手段と、生体情報測定値を維持・改善させるために必要な生活習慣改善手段と、生体情報測定値の改善を計った使用者の体験事例提供手段のいずれか１つ以上を備えたので、使用者は自分自身が罹っている生活習慣病の知識と共に、その改善のために必要な生活習慣改善の具体策は何か、生体情報測定値が生活習慣病の状態をどう示しているか、また傾向は改善なのか悪化なのかを知ることができ、改善に向けたコツを自らつかむことができる。
【手続補正８】
【補正対象書類名】明細書
【補正対象項目名】００１３
【補正方法】変更
【補正の内容】
【００１３】
上記目的を達成するために請求項５は、生体情報測定値の変動状況確認手段は、紙面、もしくは電気的手段によって表示される媒体によって使用者に開示されるので、生体情報測定値のトレンドを視認することにより、自らの状態傾向は改善なのか悪化なのかを容易に知ることができる。
【手続補正９】
【補正対象書類名】明細書
【補正対象項目名】００１４
【補正方法】変更
【補正の内容】
【００１４】
上記目的を達成するために請求項６は、生体情報測定値の変動判断手段は、紙面、もしくは電気的手段によって表示される媒体によって自動、あるいは手動操作によって変動状況を判断しやすいグラフおよび／又は数式によるごとき形態に加工でき、使用者に開示されるので、生体情報測定値のトレンドを視認するための負荷が小さく、使用継続を促すことができる。
【手続補正１０】
【補正対象書類名】明細書
【補正対象項目名】００１５
【補正方法】変更
【補正の内容】
【００１５】
上記目的を達成するために請求項７は、生体情報測定値の判読手段は、医学的指標値であると共に、紙面、もしくは電気的手段によって表示される媒体によって使用者に開示されるので、生体情報測定値を誤って判断することがない。
【手続補正１１】
【補正対象書類名】明細書
【補正対象項目名】００１６
【補正方法】変更
【補正の内容】
【００１６】
上記目的を達成するために請求項８は、生体情報測定値の改善を計った使用者の体験事例提供手段は、紙面、もしくは電気的手段によって表示される媒体表示媒体によって使用者に開示されるので、生活習慣病に罹っているのが自分だけでないという心理的安心感を得ることに加え、事例を自分に置き換えることにより生活習慣病改善のコツを自らつかむことを助けることができる。
【手続補正１２】
【補正対象書類名】明細書
【補正対象項目名】００１７
【補正方法】変更
【補正の内容】
【００１７】
上記目的を達成するために請求項９は、コンピュータシステムによって各手段による情報は使用者に対して開示されると共に、通信回線を含む電子媒体によって情報が変更可能であるので、生体情報測定値の統計解析や視覚的開示が容易なことに加え、最新事例をタイムリーに提供可能であり、長期間にわたる生活習慣改善に飽きが発生して中断してしまうことを抑制することが可能である。
【手続補正１３】
【補正対象書類名】明細書
【補正対象項目名】００１８
【補正方法】変更
【補正の内容】
【００１８】
上記目的を達成するために請求項１０は、複数の人員が所属する施設内に設置した生体情報測定装置を利用して各所属員の日常的な（日々の）検診を行う健康管理システムであって、当該健康管理システムは、前記生体情報測定装置の導入費用・メンテナンスについての管理負担を担う管理人に対して、前記生体情報測定装置の活用方法を所属員に教育する教育ツールと、生体情報測定装置を用いた所属員からの健康管理に関する質問に対する回答を行う回答ツールと、前記管理人が、前記生体情報測定装置の導入効果を確認するための効果確認用ツールと、前記生体情報測定装置を用いた健康管理に対する所属員の興味を持続させるための定期的若しくは不定期に発信される情報発信ツール、等の生体情報測定装置の使用促進ツールを、前記生体情報測定装置の販売者が提供するので、生体情報測定装置の販売者が団体において生活習慣改善の継続を推進するノウハウを提供することにより、団体における生活習慣改善継続を推進することが可能である。
【手続補正１４】
【補正対象書類名】明細書
【補正対象項目名】００１９
【補正方法】変更
【補正の内容】
【００１９】
上記目的を達成するために請求項１１は、前記生体情報測定装置は、尿糖値、血糖値、体重、体脂肪率、血圧のいずれか１つ以上を測定するので、医療的な処置だけでなく、日々の生活習慣改善が必要な生活習慣病の改善を日々の生活の中で実践することができる。
【手続補正１５】
【補正対象書類名】明細書
【補正対象項目名】００２０
【補正方法】変更
【補正の内容】
【００２０】
上記目的を達成するために請求項１２は、所属員の質問に対する回答ツールは、生体情報測定装置の販売者が所属員に対して回答すると共に、管理人に対しても開示されるので、管理人は団体の所属員の健康管理指導者として、団体・組織が持っている疑問点を把握することができ、継続した健康管理プログラムの推進を実施することができる。
【手続補正１６】
【補正対象書類名】明細書
【補正対象項目名】００２１
【補正方法】変更
【補正の内容】
【００２１】
上記目的を達成するために請求項１３は、前記生体情報測定装置の使用促進ツールは、紙面、もしくは電子媒体で発信されるので、管理人は団体の所属員である使用者に対して生体情報測定装置の使用に関する情報発信を容易に実施することができる。